(57)【要約】【課題】本発明は、アラーム履歴および操作履歴によらず監視対象を適切に監視することができる監視装置を提供することを目的とする。【解決手段】本発明は、表示情報に割り付けられた監視タグを抽出する監視タグ抽出部１１と、監視タグに関連する監視データ値を時刻ごとに記憶する過去データ記憶部１２と、監視データ値に基づいて、監視画面をリプレイする速度を決定する特徴タグを入力する特徴タグ入力部１３と、抽出した監視タグと、当該監視タグに関連する各時刻の監視データ値と、特徴タグとに基づいて、特定の時間における監視画面のリプレイ速度を決定するリプレイ速度決定部１４と、リプレイ速度に応じて、監視画面のリプレイ動作を制御するリプレイ制御部１５とを備える。【選択図】図１
2014153795.tif 000002
【特許請求の範囲】
【請求項１】
監視画面上に表示される表示情報に割り付けられた監視タグを抽出する監視タグ抽出部と、
監視機器から得られた、前記監視タグに関連する監視データ値を時刻ごとに記憶するデータ記憶部と、
前記監視データ値に基づいて、前記表示情報が表示された前記監視画面をリプレイする速度を決定するタグである特徴タグを入力する特徴タグ入力部と、
抽出した前記監視タグと、当該監視タグに関連する各時刻の前記監視データ値と、前記特徴タグとに基づいて、特定の時間における前記監視画面のリプレイ速度を決定するリプレイ速度決定部と、
前記リプレイ速度に応じて、前記監視画面のリプレイ動作を制御するリプレイ制御部とを備えることを特徴とする、
監視装置。
【請求項２】
前記特徴タグが、前記監視データ値があらかじめ定められた条件式を満たすか否かによって、前記リプレイ速度を決定するタグであることを特徴とする、
請求項１に記載の監視装置。
【請求項３】
前記特徴タグが、前記監視データ値に関連する前記監視タグが割り付けられた前記表示情報の変化に基づいて、前記リプレイ速度を決定するタグであることを特徴とする、
請求項１に記載の監視装置。
【請求項４】
前記リプレイ速度決定部が、抽出した前記監視タグと、当該監視タグが割り付けられた前記表示情報の前記監視データ値に関連する属性と、前記特徴タグとに基づいて、前記特定の時間における前記監視画面の前記リプレイ速度を決定することを特徴とする、
請求項１に記載の監視装置。
【請求項５】
前記特定の時間における前記監視画面の前記リプレイ速度を決定する前記特徴タグを、時刻ごとに一覧表示する一覧表示部をさらに備えることを特徴とする、
請求項１〜４のいずれかに記載の監視装置。
【請求項６】
前記監視タグ抽出部が、前記監視画面内の特定の領域において表示された前記表示情報に割り付けられた前記監視タグを抽出することを特徴とする、
請求項１〜５のいずれかに記載の監視装置。
【請求項７】
前記リプレイ制御部が、前記監視タグを抽出した前記表示情報のみを表示させて、前記監視画面の前記リプレイ動作を制御することを特徴とする、
請求項１〜６のいずれかに記載の監視装置。
【発明の詳細な説明】
【技術分野】
【０００１】
本発明は監視装置に関し、特に、監視装置における、監視画面をリプレイする機能に関するものである。
【背景技術】
【０００２】
プラント等の監視対象を監視する監視装置には、一般に、監視機器において蓄積された過去の監視画像をリプレイし、監視画面上に表示する機能が備わっている。当該機能を用いることによって、監視装置のユーザーは、過去のある時点での監視対象の状態等を確認することができる。
【０００３】
例えば、特許文献１に記載されたプラント運転監視装置では、アラーム履歴データベースおよび操作履歴データベースから特定の事象の時刻をインデックス時刻として用意しておき、当該インデックス時刻から、ユーザーが指定するリプレイ時刻に近いインデックス時刻を取得する。そして、インデックス時刻単位で再生時刻をスキップリプレイを可能とすることで、特定の事象の時刻への頭出しを可能としている。このように、特定の事象に基づいた頭出しを行うことで、プラント運転解析や障害解析の際の解析時間の短縮を図っている。
【先行技術文献】
【特許文献】
【０００４】
【特許文献１】特開２０１０−２８２２４６号公報
【発明の概要】
【発明が解決しようとする課題】
【０００５】
上記の特許文献１では、アラーム履歴および操作履歴に基づいてインデックス時刻を用意し、インデックス時刻単位でリプレイの頭出しを行うことで、プラント異常時等の解析時間の短縮を図ることができる。
【０００６】
しかし、例えば昨日の降雨時のプラントの状況把握のため、雨量データの増加量を用いて解析を行う場合のように、ある時点からの増分を監視する場合や、アラームが生じる前のプラントの変化状況を監視する場合には、適切に対応するアラーム履歴および操作履歴が存在しない可能性がある。この場合には、結局監視対象を継続して監視することが必要となり、状況解析に手間がかかるという問題があった。
【０００７】
本発明は、上記のような問題を解決するためになされたものであり、アラーム履歴および操作履歴によらず監視対象を適切に監視することができる監視装置を提供することを目的とする。
【課題を解決するための手段】
【０００８】
本発明の一態様に関する監視装置は、監視画面上に表示される表示情報に割り付けられた監視タグを抽出する監視タグ抽出部と、監視機器から得られた、前記監視タグに関連する監視データ値を時刻ごとに記憶するデータ記憶部と、前記監視データ値に基づいて、前記表示情報が表示された前記監視画面をリプレイする速度を決定するタグである特徴タグを入力する特徴タグ入力部と、抽出した前記監視タグと、当該監視タグに関連する各時刻の前記監視データ値と、前記特徴タグとに基づいて、特定の時間における前記監視画面のリプレイ速度を決定するリプレイ速度決定部と、前記リプレイ速度に応じて、前記監視画面のリプレイ動作を制御するリプレイ制御部とを備えることを特徴とする。
【発明の効果】
【０００９】
本発明の上記態様によれば、抽出した監視タグと、当該監視タグに関連する各時刻の監視データ値と、特徴タグとに基づいて、特定の時間における監視画面のリプレイ速度を決定するため、アラーム履歴および操作履歴がない場合でも、監視対象を適切に監視することができる。
【００１０】
また、監視タグに関連する監視データ値に基づいてリプレイ速度を決定するため、監視タグが抽出されたシンボルの性質または重要度等を考慮して監視画像をリプレイさせることができ、監視対象の状況解析を効率的に行い、かつ、状況解析にかかる時間を短縮することができる。
【図面の簡単な説明】
【００１１】
【図１】本発明の実施形態に関する監視装置の構成を概念的に示した図である。
【図２】本発明の実施形態に関する監視装置のハードウェア構成を示した図である。
【図３】監視画面記憶部に格納される表示情報の一例を示した図である。
【図４】本発明の実施形態に関する監視タグ抽出部の動作を示すフローチャートである。
【図５】監視タグ抽出部により得られる監視タグ一覧の一例を示す図である。
【図６】過去データ記憶部に格納される監視データの一例を示した図である。
【図７】本発明の実施形態に関する特徴タグ入力部の動作を示すフローチャートである。
【図８】特徴タグ入力部により得られる特徴タグ一覧の一例を示す図である。
【図９】本発明の実施形態に関するリプレイ速度決定部の動作を示すフローチャートである。
【図１０】リプレイ速度決定部の動作のうちの、リプレイ速度検索処理を示すフローチャートである。
【図１１】リプレイ速度決定部の動作のうちの、リプレイ速度決定処理を示すフローチャートである。
【図１２】リプレイ速度決定部の動作のうちの、リプレイ速度一覧作成処理を示すフローチャートである。
【図１３】リプレイ速度決定部により得られるリプレイ速度一覧の一例を示す図である。
【図１４】本発明の実施形態に関するリプレイ制御部の動作を示すフローチャートである。
【図１５】リプレイ制御部の動作のうちの、リプレイ制御処理を示すフローチャートである。
【図１６】本発明の実施形態に関する監視画面描画部の動作を示すフローチャートである。
【図１７】本発明の実施形態に関する監視装置の構成を概念的に示した図である。
【図１８】本発明の実施形態に関する特徴タグ入力部の動作を示すフローチャートである。
【図１９】特徴タグ入力部により得られる特徴タグ一覧の一例を示す図である。
【図２０】リプレイ速度決定部の動作のうちの、リプレイ速度検索処理を示すフローチャートである。
【図２１】リプレイ速度決定部の動作のうちの、リプレイ速度決定処理を示すフローチャートである。
【図２２】リプレイ速度決定部の動作のうちの、変化シンボル個数取得処理を示すフローチャートである。
【図２３】本発明の実施形態に関する監視装置の構成を概念的に示した図である。
【図２４】監視画面記憶部に格納される表示情報の一例を示した図である。
【図２５】リプレイ速度決定部の動作のうちの、リプレイ速度決定処理を示すフローチャートである。
【図２６】本発明の実施形態に関する監視装置の構成を概念的に示した図である。
【図２７】リプレイ速度決定部の動作のうちの、特徴タグ時系列一覧を作成する処理を示すフローチャートである。
【図２８】リプレイ速度決定部により得られる特徴タグ時系列一覧の一例を示す図である。
【図２９】本発明の実施形態に関する監視装置の構成を概念的に示した図である。
【図３０】本発明の実施形態に関する監視タグ抽出部の動作を示すフローチャートである。
【図３１】本発明の実施形態に関する監視装置の構成を概念的に示した図である。
【図３２】リプレイ制御部の動作のうちの、リプレイ制御処理を示すフローチャートである。
【図３３】本発明の実施形態に関する監視画面描画部の動作を示すフローチャートである。
【発明を実施するための形態】
【００１２】
以下、添付の図面を参照しながら、本発明の実施形態について説明する。
【００１３】
＜第１実施形態＞
＜構成＞
図１は、本発明の本実施形態に関する監視装置１００の構成を概念的に示した図である。図１に示されるように監視装置１００は、監視画面記憶部１０と、監視タグ抽出部１１と、過去データ記憶部１２と、特徴タグ入力部１３と、リプレイ速度決定部１４と、リプレイ制御部１５と、監視画面描画部１６とを備える。
【００１４】
監視画面記憶部１０は、監視画面描画部１６に表示する表示情報を記憶する機能部である。
【００１５】
監視タグ抽出部１１は、監視画面上に表示される表示情報の、各シンボルに割り付けられている監視タグを抽出する機能部である。
【００１６】
過去データ記憶部１２は、各監視機器から入力される過去の監視データを時刻ごとに記憶する機能部である。
【００１７】
特徴タグ入力部１３は、特定の監視データに基づいてリプレイ速度を決定する特徴タグを入力する機能部である。
【００１８】
リプレイ速度決定部１４は、抽出した監視タグと、各時刻の監視データと、特徴タグとに基づいて、特定の時間における監視画面のリプレイ速度（等速、倍速、またはスキップ等）を動的に決定する機能部である。
【００１９】
リプレイ制御部１５は、リプレイ速度決定部１４において決定されたリプレイ速度に応じて、監視画面のリプレイ動作を制御する機能部である。
【００２０】
監視画面描画部１６は、監視画面記憶部１０を参照し、リプレイ制御部１５から送信されるタイミングで監視画面の描画を行う機能部である。
【００２１】
図２は、本実施形態に関する監視装置１００のハードウェア構成を示した図である。監視装置１００に対応するハードウェア構成であるＰＣ（パーソナルコンピュータ）２３には、ＣＰＵ２１と、記憶装置２２とが備えられている。
【００２２】
ＣＰＵ２１は、演算を行う。監視タグ抽出部１１、特徴タグ入力部１３、リプレイ速度決定部１４およびリプレイ制御部１５の機能は、ＣＰＵ２１がソフトウェアに基づいてプログラム処理することによって実現される。
【００２３】
記憶装置２２は、情報を記憶する。記憶装置２２は、例えばＨＤＤまたはメモリ等によって構成され、図１における、監視画面記憶部１０と、過去データ記憶部１２とに対応する。また、図１における、監視タグ抽出部１１と、特徴タグ入力部１３と、リプレイ速度決定部１４と、リプレイ制御部１５とをプログラムとして記憶している。
【００２４】
図３は、監視画面記憶部１０に格納される表示情報の一例を示した図である。図３の例では、矩形のシンボル２つと丸形のシンボル１つの、少なくとも３つの表示情報（シンボルＡ、ＢおよびＣ）が格納されている。
【００２５】
監視画面記憶部１０には、監視画面を構成する各シンボルの情報が例えばテキスト形式で格納されている。なお、当該表示情報の格納形式は、バイナリ形式等の他の形式であってもよい。
【００２６】
各シンボルに割り付けられる情報として、シンボルの形状を示す種別、シンボルの位置、シンボルのサイズ、およびシンボルを表示する色を示す表示色、シンボルに関連付けられている監視タグ等が、監視画面記憶部１０に格納されている。シンボルに監視タグが割り付けられている場合、監視画面上では当該監視タグに対応する監視データのうちの監視データ値（後述）が表示される。
【００２７】
＜動作＞
次に、図４〜図１６を参照しつつ、本発明の本実施形態に関する監視装置１００の動作を説明する。
【００２８】
図４は、監視タグ抽出部１１の動作を示すフローチャートである。
【００２９】
まず、監視タグ抽出部１１は、監視画面記憶部１０において記憶された表示情報を読み込む（ステップＳＴ４０）。
【００３０】
次に、監視タグ抽出部１１は、監視画面記憶部１０に格納されたシンボルを１つ取得する（ステップＳＴ４１）。
【００３１】
次に、監視タグ抽出部１１は、まだ監視タグが割り付けられているか否かの判定を行っていないシンボルがあるか否かの判定を行う（ステップＳＴ４２）。シンボルがある場合（ＹＥＳ）には、ステップＳＴ４３へ進み、シンボルがない場合（ＮＯ）には動作を終了する。
【００３２】
次に、監視タグ抽出部１１は、取得したシンボルに監視タグが割り付けられているか否かの判定を行う（ステップＳＴ４３）。監視タグが割り付けられている場合（ＹＥＳ）には、ステップＳＴ４４へ進み、監視タグが割り付けられていない場合（ＮＯ）には、ステップＳＴ４１へ戻る。
【００３３】
次に、監視タグ抽出部１１は、シンボルに割り付けられた監視タグを抽出し、監視タグ一覧に加える（ステップＳＴ４４）。そして、ステップＳＴ４１へ戻る。なお監視タグ一覧は、監視タグ抽出部１１から出力される情報であり、例えば監視画面記憶部１０に記憶しておくことができる。
【００３４】
図５は、監視タグ抽出部１１により得られる監視タグ一覧の一例を示す図である。図４に示された監視タグ抽出部１１の動作が実行されることにより、監視タグ名が並んだ監視タグ一覧が得られる。図５の例では、監視タグ名として、機器Ｘ電流値および機器Ｙ開閉状態が示されている。
【００３５】
図６は、過去データ記憶部１２に格納される監視データの一例を示した図である。過去データ記憶部１２には、各監視機器から入力される監視データが記憶されている。監視データは、例えば、監視データ名、時刻および監視データ値から構成される。監視データ値とは、監視データ名に対応する監視対象の出力データである。図６の例では、監視データの各項目がバイナリ形式で格納されている。図６の例では、監視データ名として、機器Ｘ電流値および機器Ｙ開閉状態が示され、それぞれ異なる時刻における監視データ値が示されている。これらの監視データ名は、それぞれが上述の監視タグ名に対応している。なお、当該監視データの格納形式は、テキスト形式やＲＤＢ（Ｒｅｌａｔｉｏｎａｌ  Ｄａｔａｂａｓｅ）であってもよい。また、監視データ値には、電流値等の即値の他に、欠測等の状態値を格納してもよい。
【００３６】
図７は、特徴タグ入力部１３の動作を示すフローチャートである。
【００３７】
まず、特徴タグ入力部１３は、特徴タグ一覧にリプレイ速度を入力する（ステップＳＴ７０）。ここで特徴タグ一覧は、特徴タグ入力部１３から出力される情報であり、例えば監視画面記憶部１０に記憶しておくことができる。
【００３８】
次に、特徴タグ入力部１３は、入力したリプレイ速度に対応する特徴タグ一覧のリプレイ速度の欄が空欄か否かの判定を行う（ステップＳＴ７１）。対応するリプレイ速度の欄が空欄の場合（ＹＥＳ）には動作を終了する。対応するリプレイ速度の欄が空欄でない場合（ＮＯ）、すなわち、適切にリプレイ速度が入力できた場合には、入力したリプレイ速度に対応する監視タグの条件式を指定する（ステップＳＴ７２）。そして、ステップＳＴ７０へ戻る。
【００３９】
図８は、特徴タグ入力部１３により得られる特徴タグ一覧の一例を示す図である。特徴タグ一覧は表形式で表現される一覧情報であり、図８の例では、各特徴タグは、リプレイ速度と、監視タグの条件式とから構成されている。監視タグの条件式には、監視タグ名と対応する監視データの監視データ値との比較条件が記述される。なお、複数の比較条件を論理条件で組み合わせてもよい。
【００４０】
図９は、リプレイ速度決定部１４の動作を示すフローチャートである。
【００４１】
まず、リプレイ速度決定部１４は、特徴タグ入力部１３の出力である特徴タグ一覧と、監視タグ抽出部１１の出力である監視タグ一覧とを読み込む（ステップＳＴ９０）。
【００４２】
次に、リプレイ速度決定部１４は、リプレイの開始時刻「ＳＴ」と終了時刻「ＥＴ」とを指定する（ステップＳＴ９１）。なお、開始時刻「ＳＴ」および終了時刻「ＥＴ」は、あらかじめ決まっている時刻であってもよいし、ユーザーが随時指定する時刻であってもよい。
【００４３】
次に、リプレイ速度決定部１４は、指定した開始時刻「ＳＴ」を、検索時刻「Ｔ」に設定する（ステップＳＴ９２）。
【００４４】
次に、リプレイ速度決定部１４は、リプレイ速度検索処理を行う（ステップＳＴ９３）。
【００４５】
次に、リプレイ速度決定部１４は、検索時刻「Ｔ」に１秒を加える（ステップＳＴ９４）。
【００４６】
次に、リプレイ速度決定部１４は、検索時刻「Ｔ」がステップＳＴ９１で指定された終了時刻「ＥＴ」以降か否かを判定する（ステップＳＴ９５）。検索時刻「Ｔ」が終了時刻「ＥＴ」の前である場合（ＮＯ）には、ステップＳＴ９３に戻る。検索時刻「Ｔ」が終了時刻「ＥＴ」と等しいまたは後である場合（ＹＥＳ）には、ステップＳＴ９６へ進む。
【００４７】
次に、リプレイ速度決定部１４は、リプレイ速度一覧作成処理を行う（ステップＳＴ９６）。
【００４８】
図１０は、リプレイ速度決定部１４の動作のうちの、リプレイ速度検索処理（図９のステップＳＴ９３）を示すフローチャートである。
【００４９】
まず、リプレイ速度決定部１４は、特徴タグ一覧から特徴タグを取得する（ステップＳＴ１００）。
【００５０】
次に、リプレイ速度決定部１４は、検索していない特徴タグ「ＴＴＡＧ」があるか否かを判定する（ステップＳＴ１０１）。特徴タグ「ＴＴＡＧ」がある場合（ＹＥＳ）にはステップＳＴ１０２へ進み、特徴タグ「ＴＴＡＧ」がない場合（ＮＯ）にはステップＳＴ１０５へ進む。
【００５１】
次に、リプレイ速度決定部１４は、特徴タグ「ＴＴＡＧ」の条件式から監視タグ「ＫＴＡＧ」を抽出する（ステップＳＴ１０２）。
【００５２】
次に、リプレイ速度決定部１４は、監視タグ「ＫＴＡＧ」が監視タグ一覧にあるか否かの判定を行う（ステップＳＴ１０３）。監視タグ「ＫＴＡＧ」が監視タグ一覧にない場合（ＮＯ）は、ステップＳＴ１００へ戻る。監視タグ「ＫＴＡＧ」が監視タグ一覧にある場合（ＹＥＳ）は、ステップＳＴ１０４へ進む。
【００５３】
次に、リプレイ速度決定部１４は、リプレイ速度決定処理を行う（ステップＳＴ１０４）。さらに、ステップＳＴ１００へ戻る。
【００５４】
また、リプレイ速度決定部１４は、現在の検索時刻「Ｔ」に対してリプレイ速度が決定されたか否かの判定を行う（ステップＳＴ１０５）。決定されている場合（ＹＥＳ）は動作を終了し、決定されていない場合（ＮＯ）は、ステップＳＴ１０６へ進む。
【００５５】
次に、リプレイ速度決定部１４は、検索時刻「Ｔ」に対するリプレイ速度を「０」とし（ステップＳＴ１０６）、動作を終了する。
【００５６】
図１１は、リプレイ速度決定部１４の動作のうちの、リプレイ速度決定処理（図１０のステップＳＴ１０４）を示すフローチャートである。
【００５７】
まず、リプレイ速度決定部１４は、過去データ記憶部１２から、監視タグ「ＫＴＡＧ」に対応する監視データ名の監視データの、検索時刻「Ｔ」に対応する時刻の監視データ値を取得する（ステップＳＴ１１０）。
【００５８】
次に、リプレイ速度決定部１４は、取得した監視データ値を用いて特徴タグ「ＴＴＡＧ」の条件式を判定する（ステップＳＴ１１１）。
【００５９】
次に、リプレイ速度決定部１４は、ステップＳＴ１１１における判定結果が成立した（条件式を満たす）か否かを判断する（ステップＳＴ１１２）。判定結果が成立しない（条件式を満たさない）場合（ＮＯ）には動作を終了する。判定結果が成立した（条件式を満たす）場合（ＹＥＳ）には、ステップＳＴ１１３へ進む。
【００６０】
次に、リプレイ速度決定部１４は、検索時刻「Ｔ」に対するリプレイ速度を、特徴タグ「ＴＴＡＧ」で指定されるリプレイ速度に設定する（ステップＳＴ１１３）。そして、動作を終了する。
【００６１】
図１２は、リプレイ速度決定部１４の動作のうちの、リプレイ速度一覧作成処理（図９のステップＳＴ９６）を示すフローチャートである。
【００６２】
まず、リプレイ速度決定部１４は、開始時刻「ＳＴ」から終了時刻「ＥＴ」までのリプレイ速度を、時刻順に整列させる（ステップＳＴ１２０）。
【００６３】
次に、リプレイ速度決定部１４は、開始時刻「ＳＴ」から終了時刻「ＥＴ」までのリプレイ速度一覧を作成する（ステップＳＴ１２１）。
【００６４】
なお、開始時刻および終了時刻にはマージン時間を設けてもよい。例えば、マージン時間を「１０秒」と指定した場合、開始時刻および終了時刻を１０秒前（または後）にシフトする。このようにマージン時間を設定することで、特徴タグが成立する前（または後）の状況を把握することができる。
【００６５】
図１３は、リプレイ速度決定部１４により得られるリプレイ速度一覧の一例を示す図である。リプレイ速度一覧は表形式で表現される一覧情報であり、開始および終了時刻と速度とから構成される。なお一覧は、時刻順に整列されている。
【００６６】
図１４は、リプレイ制御部１５の動作を示すフローチャートである。
【００６７】
まず、リプレイ制御部１５は、監視タグ一覧と、リプレイ速度決定部１４から送信されるリプレイ速度一覧とを読み込む（ステップＳＴ１４０）。
【００６８】
次に、リプレイ制御部１５は、リプレイ速度一覧から開始時刻「ＳＴ」、終了時刻「ＥＴ」およびリプレイ速度「Ｓ」を取得する（ステップＳＴ１４１）。
【００６９】
次に、リプレイ制御部１５は、リプレイ速度の設定に用いていない開始時刻「ＳＴ」があるか否かの判定を行う（ステップＳＴ１４２）。開始時刻「ＳＴ」がない場合（ＮＯ）は動作を終了し、開始時刻「ＳＴ」がある場合（ＹＥＳ）は、ステップＳＴ１４３へ進む。
【００７０】
次に、リプレイ制御部１５は、リプレイ制御処理を行う（ステップＳＴ１４３）。そして、ステップＳＴ１４１に戻る。
【００７１】
図１５は、リプレイ制御部１５の動作のうちの、リプレイ制御処理（図１４のステップＳＴ１４３）を示すフローチャートである。
【００７２】
まず、リプレイ制御部１５は、リプレイ速度「Ｓ」が０か否かの判定を行う（ステップＳＴ１５０）。リプレイ速度「Ｓ」が０の場合（ＹＥＳ）は動作を終了し、リプレイはスキップされる。リプレイ速度「Ｓ」が０でない場合（ＮＯ）は、ステップＳＴ１５１へ進む。
【００７３】
次に、リプレイ制御部１５は、開始時刻「ＳＴ」をリプレイ時刻「Ｔ」に設定する（ステップＳＴ１５１）。
【００７４】
次に、リプレイ制御部１５は、過去データ記憶部１２から、監視タグに対応する監視データ名の監視データの、リプレイ時刻「Ｔ」に対応する時刻の監視データ値を取得する（ステップＳＴ１５２）。
【００７５】
次に、リプレイ制御部１５は、リプレイ時刻「Ｔ」とステップＳＴ１５２で取得した監視データ値とを監視画面描画部１６に通知する（ステップＳＴ１５３）。
【００７６】
次に、リプレイ制御部１５は、リプレイ時刻「Ｔ」にリプレイ速度「Ｓ」時間を加える（ステップＳＴ１５４）。リプレイ速度「Ｓ」が１倍であれば１秒を、２倍であれば２秒の時間をリプレイ時刻に加える。
【００７７】
次に、リプレイ制御部１５は、リプレイ時刻「Ｔ」が終了時刻「ＥＴ」以降か否かを判定する（ステップＳＴ１５５）。リプレイ時刻「Ｔ」が終了時刻「ＥＴ」の前である場合（ＮＯ）には、ステップＳＴ１５２に戻る。リプレイ時刻「Ｔ」が終了時刻「ＥＴ」と等しいまたは後である場合（ＹＥＳ）には、動作を終了する。
【００７８】
図１６は、監視画面描画部１６の動作を示すフローチャートである。
【００７９】
まず、監視画面描画部１６は、監視画面記憶部１０を読み込む（ステップＳＴ１６０）。
【００８０】
次に、監視画面描画部１６は、監視画面記憶部１０に格納されたシンボルを１つ取得する（ステップＳＴ１６１）。
【００８１】
次に、監視画面描画部１６は、まだ監視タグの検索を行っていないシンボルがあるか否かの判定を行う（ステップＳＴ１６２）。シンボルがない場合（ＮＯ）には動作を終了する。シンボルがある場合（ＹＥＳ）には、ステップＳＴ１６３へ進む。
【００８２】
次に、監視画面描画部１６は、監視タグがシンボル中にあるか否かの判定を行う（ステップＳＴ１６３）。監視タグがシンボル中にない場合（ＮＯ）には、ステップＳＴ１６５へ進む。監視タグがシンボル中にある場合（ＹＥＳ）には、ステップＳＴ１６４へ進む。
【００８３】
次に、監視画面描画部１６は、リプレイ制御部１５から送信される監視データ値から、監視タグに割り付けられている値を取得する（ステップＳＴ１６４）。
【００８４】
また、監視画面描画部１６は、監視画面記憶部１０から取得した、シンボルの種別、位置およびサイズに応じてシンボルを描画する（ステップＳＴ１６５）。そして、ステップＳＴ１６１に戻る。このとき、リプレイ制御部１５によって制御されたリプレイ時間に従って、各シンボルを描画する。
【００８５】
以上のような構成を用いることで、アラーム履歴および操作履歴がない場合でも、監視データ値に応じてリプレイ速度を動的に決定し、監視対象の状況解析にかかる時間を短縮することができる。
【００８６】
＜効果＞
本発明に関する実施形態によれば、監視装置が、監視タグ抽出部１１と、過去データ記憶部１２と、特徴タグ入力部１３と、リプレイ速度決定部１４と、リプレイ制御部１５とを備える。
【００８７】
監視タグ抽出部１１は、監視画面上に表示される表示情報に割り付けられた監視タグを抽出する。
【００８８】
過去データ記憶部１２は、監視機器から得られた、監視タグに関連する監視データ値を時刻ごとに記憶する。
【００８９】
特徴タグ入力部１３は、監視データ値に基づいて、表示情報が表示された監視画面をリプレイする速度を決定するタグである特徴タグを入力する。
【００９０】
リプレイ速度決定部１４は、抽出した監視タグと、当該監視タグに関連する各時刻の監視データ値と、特徴タグとに基づいて、特定の時間における監視画面のリプレイ速度を決定する。
【００９１】
リプレイ制御部１５は、リプレイ速度に応じて、監視画面のリプレイ動作を制御する。
【００９２】
このような構成によれば、アラーム履歴および操作履歴がない場合でも、監視対象を適切に監視することができる。
【００９３】
また、監視タグに関連する監視データ値に基づいてリプレイ速度を決定するため、監視タグが抽出されたシンボルの性質または重要度等を考慮して監視画像をリプレイさせることができ、監視対象の状況解析を効率的に行い、かつ、状況解析にかかる時間を短縮することができる。
【００９４】
また、本発明に関する実施形態によれば、特徴タグが、監視データ値があらかじめ定められた条件式を満たすか否かによって、リプレイ速度を決定するタグである。
【００９５】
このような構成によれば、条件式を満たす監視データ値が入力された時刻においてリプレイ速度を変更することができるため、例えば、注目したい現象が生じるときに入力される監視データ値となるような条件式を指定しておけば、効率的に監視対象の状況解析を行うことができる。
【００９６】
＜第２実施形態＞
第１実施形態では、特定の監視データが条件式を満たすか否かを判定する特徴タグが示されているが、監視画面上に表示されるシンボルの変化（形状の変化等）の個数または変化の割合を判定の基準とする場合であってもよい。
【００９７】
＜構成＞
図１７は、本発明の本実施形態に関する監視装置１０１の構成を概念的に示した図である。図１７において、第１実施形態における場合と同様の符号を付した構成は、同様の構成であるので詳細な説明は省略する。
【００９８】
特徴タグ入力部３０は、監視画面上に表示されるシンボルの変化の個数または割合に基づいて、リプレイ速度を決定する特徴タグを指定する機能部である。
【００９９】
リプレイ速度決定部３１は、抽出した監視タグと、各時刻の監視データと、特徴タグとに基づいて、特定の時間における監視画面のリプレイ速度（等速、倍速、またはスキップ等）を動的に決定する機能部である。
【０１００】
＜動作＞
図１８は、特徴タグ入力部３０の動作を示すフローチャートである。以下では、監視データの変化に起因するシンボルの変化として形状が変化する場合を説明するが、シンボルの変化は形状の変化に限られるものではない。例えば、各シンボルに属する表示値または表示文字列等の変化についても含まれる。
【０１０１】
まず、特徴タグ入力部３０は、特徴タグ一覧にリプレイ速度を入力する（ステップＳＴ１８０）。ここで特徴タグ一覧は、特徴タグ入力部３０から出力される情報であり、例えば監視画面記憶部１０に記憶しておくことができる。
【０１０２】
次に、特徴タグ入力部３０は、入力したリプレイ速度に対応する特徴タグ一覧のリプレイ速度の欄が空欄か否かの判定を行う（ステップＳＴ１８１）。対応するリプレイ速度の欄が空欄の場合（ＹＥＳ）には動作を終了する。対応するリプレイ速度の欄が空欄でない場合（ＮＯ）、すなわち、適切にリプレイ速度が入力できた場合には、入力したリプレイ速度に対応する、監視画面上のシンボルの変化（本実施形態では形状の変化）する個数（または割合）を指定する（ステップＳＴ１８２）。そして、ステップＳＴ１８０へ戻る。
【０１０３】
図１９は、特徴タグ入力部３０により得られる特徴タグ一覧の一例を示す図である。特徴タグ一覧は表形式で表現される一覧情報であり、図１９の例では、各特徴タグは、リプレイ速度と、変化シンボル個数とから構成されている。
【０１０４】
図２０は、リプレイ速度決定部３１の動作のうちの、リプレイ速度検索処理（図９のステップＳＴ９３）を示すフローチャートである。
【０１０５】
まず、リプレイ速度決定部３１は、特徴タグ一覧から特徴タグを取得する（ステップＳＴ２００）。
【０１０６】
次に、リプレイ速度決定部３１は、検索していない特徴タグ「ＴＴＡＧ」があるか否かを判定する（ステップＳＴ２０１）。特徴タグ「ＴＴＡＧ」がある場合（ＹＥＳ）にはステップＳＴ２０２へ進み、特徴タグ「ＴＴＡＧ」がない場合（ＮＯ）にはステップＳＴ２０３へ進む。
【０１０７】
次に、リプレイ速度決定部３１は、リプレイ速度決定処理を行う（ステップＳＴ２０２）。さらに、ステップＳＴ２００へ戻る。
【０１０８】
また、リプレイ速度決定部３１は、現在の検索時刻「Ｔ」に対してリプレイ速度が決定されたか否かの判定を行う（ステップＳＴ２０３）。決定されている場合（ＹＥＳ）は動作を終了し、決定されていない場合（ＮＯ）は、ステップＳＴ２０４へ進む。
【０１０９】
次に、リプレイ速度決定部３１は、検索時刻「Ｔ」に対するリプレイ速度を「０」とし（ステップＳＴ２０４）、動作を終了する。
【０１１０】
図２１は、リプレイ速度決定部３１の動作のうちの、リプレイ速度決定処理（図２０のステップＳＴ２０２）を示すフローチャートである。
【０１１１】
まず、リプレイ速度決定部３１は、過去データ記憶部１２から、監視タグ「ＫＴＡＧ」に対応する監視データ名の監視データの、検索時刻「Ｔ」に対応する時刻の監視データ値を取得する（ステップＳＴ２１０）。
【０１１２】
次に、リプレイ速度決定部３１は、変化シンボル個数取得処理を行う（ステップＳＴ２１１）。
【０１１３】
次に、リプレイ速度決定部３１は、取得した個数が特徴タグ「ＴＴＡＧ」の変化シンボル個数より大きいか否かを判定する（ステップＳＴ２１２、ステップＳ２１３）。取得した個数が変化シンボル個数より大きい場合（ＹＥＳ）には、ステップＳＴ２１４へ進む。そうでない場合（ＮＯ）には、動作を終了する。
【０１１４】
次に、リプレイ速度決定部３１は、検索時刻「Ｔ」に対するリプレイ速度を、特徴タグ「ＴＴＡＧ」で指定されるリプレイ速度に設定する（ステップＳＴ２１４）。そして、動作を終了する。
【０１１５】
図２２は、リプレイ速度決定部３１の動作のうちの、変化シンボル個数取得処理（図２１のステップＳＴ２１１）を示すフローチャートである。
【０１１６】
まず、リプレイ速度決定部３１は、変化個数「Ｘ」を０とする（ステップＳＴ２２０）。
【０１１７】
次に、リプレイ速度決定部３１は、監視画面記憶部１０を読み込む（ステップＳＴ２２１）。
【０１１８】
次に、リプレイ速度決定部３１は、監視画面記憶部１０に格納されたシンボルを１つ取り出す（ステップＳＴ２２２）。
【０１１９】
次に、リプレイ速度決定部３１は、まだ監視タグが割り付けられているか否かの判定を行っていないシンボルがあるか否かの判定を行う（ステップＳＴ２２３）。シンボルがない場合（ＮＯ）は、ステップＳＴ２２９へ進む。シンボルがある場合（ＹＥＳ）は、ステップＳＴ２２４へ進む。
【０１２０】
次に、リプレイ速度決定部３１は、シンボル中に監視タグが割り付けられているか否かを判定する（ステップＳＴ２２４）。監視タグが割り付けられている場合（ＹＥＳ）には、ステップＳＴ２２５へ進む。監視タグが割り付けられていない場合（ＮＯ）には、ステップＳＴ２２２に戻る。
【０１２１】
次に、リプレイ速度決定部３１は、リプレイ速度決定処理で取得した監視データ値から、監視タグに割り付けられている値を取得する（ステップＳＴ２２５）。
【０１２２】
次に、リプレイ速度決定部３１は、取得したデータ値を用いて前の時刻（例えば１秒前）のシンボルと形状の変化があるか否かを判定する（ステップＳＴ２２６、ステップＳＴ２２７）。変化していない場合（ＮＯ）は、ステップＳＴ２２２に戻り、変化した場合（ＹＥＳ）は、ステップＳＴ２２８へ進む。
【０１２３】
次に、リプレイ速度決定部３１は、変化個数「Ｘ」に１を加え（ステップＳＴ２２９）、ステップＳＴ２２２に戻る。
【０１２４】
また、リプレイ速度決定部３１は、変化個数「Ｘ」を返し、動作を終了する（ステップＳＴ２２９）。
【０１２５】
＜効果＞
本発明に関する実施形態によれば、特徴タグが、監視データ値に関連する監視タグが割り付けられた表示情報の変化に基づいて、リプレイ速度を決定するタグである。
【０１２６】
このような構成によれば、監視画面に表示された表示情報の変化に基づいて、リプレイ速度を動的に決定することができる。
【０１２７】
＜第３実施形態＞
＜構成＞
図２３は、本発明の本実施形態に関する監視装置１０２の構成を概念的に示した図である。図２３において、第１実施形態における場合と同様の符号を付した構成は、同様の構成であるので詳細な説明は省略する。
【０１２８】
監視画面記憶部４０は、監視画面描画部１６に表示する情報を記憶する機能部である。
【０１２９】
監視タグ抽出部４１は、監視画面上に表示される表示情報の、各シンボルに割り付けられている監視タグを抽出する機能部である。ただし、各シンボルは、割り付けられている監視タグに関連する監視データ値によって、その属性（種別、表示色等）が場合分けされているものとする。
【０１３０】
リプレイ速度決定部４２は、抽出した監視タグと、当該監視タグが割り付けられた表示情報の監視データ値に関連する属性と、特徴タグとに基づいて、特定の時間における監視画面のリプレイ速度（等速、倍速、またはスキップ等）を動的に決定する機能部である。
【０１３１】
図２４は、監視画面記憶部４０に格納される表示情報の一例を示した図である。
【０１３２】
各シンボルの属性（種別、表示色等）には、監視タグに関連する監視データ値を選定する場合分け条件が付されている。
【０１３３】
例えば、「シンボルＡ」の種別は、「機器Ｘ電流値＞２．１Ａ」が成立する場合に矩形の形式で、「機器Ｘ電流値＜１．９Ａ」が成立する場合に丸の形式で、それ以外では三角の形式で描画される。当該場合分け条件には、複数の監視タグに関連する監視データ値の比較条件を組み合わせたものを用いてもよい。
【０１３４】
＜動作＞
図２５は、リプレイ速度決定部４２の動作のうちの、リプレイ速度決定処理（図１０のステップＳＴ１０４）を示すフローチャートである。
【０１３５】
まず、リプレイ速度決定部４２は、監視タグ「ＫＴＡＧ」が割り付けられたシンボルの、検索時刻「Ｔ」に対応する時刻における属性（種別、表示色等）を取得する（ステップＳＴ２５０）。
【０１３６】
次に、リプレイ速度決定部４２は、取得した属性を用いて特徴タグ「ＴＴＡＧ」の条件式を判定する（ステップＳＴ２５１）。
【０１３７】
次に、リプレイ速度決定部４２は、ステップＳＴ２５１における判定結果が成立した（条件式を満たす）か否かを判断する（ステップＳＴ２５２）。判定結果が成立しない（条件式を満たさない）場合（ＮＯ）には動作を終了する。判定結果が成立した（条件式を満たす）場合（ＹＥＳ）には、ステップＳＴ２５３へ進む。
【０１３８】
次に、リプレイ速度決定部４２は、検索時刻「Ｔ」に対するリプレイ速度を、特徴タグ「ＴＴＡＧ」で指定されるリプレイ速度に設定する（ステップＳＴ２５３）。そして、動作を終了する。
【０１３９】
＜効果＞
本発明に関する実施形態によれば、リプレイ速度決定部４２が、抽出した監視タグと、当該監視タグが割り付けられた表示情報の監視データ値に関連する属性と、特徴タグとに基づいて、特定の時間における監視画面のリプレイ速度を決定する。
【０１４０】
このような構成によれば、シンボルの属性を参照することで、監視データ値が特徴タグの条件を満たすか否かを判断することができる。
【０１４１】
＜第４実施形態＞
＜構成＞
図２６は、本発明の本実施形態に関する監視装置１０３の構成を概念的に示した図である。図２６において、第１実施形態における場合と同様の符号を付した構成は、同様の構成であるので詳細な説明は省略する。
【０１４２】
リプレイ速度決定部５０は、抽出した監視タグと、各時刻の監視データと、特徴タグとに基づいて、特定の時間における監視画面のリプレイ速度（等速、倍速、またはスキップ等）を動的に決定する機能部である。
【０１４３】
一覧表示部５１は、特徴タグ時系列一覧を表示する機能部である。
【０１４４】
＜動作＞
図２７は、リプレイ速度決定部５０の動作のうちの、特徴タグ時系列一覧を作成する処理を示すフローチャートである。
【０１４５】
まず、リプレイ速度決定部５０は、開始時刻「ＳＴ」から終了時刻「ＥＴ」までの特徴タグを、時刻順に整列させる（ステップＳＴ２７０）。
【０１４６】
次に、リプレイ速度決定部５０は、開始時刻「ＳＴ」から終了時刻「ＥＴ」までの特徴タグ時系列一覧を作成する（ステップＳＴ２７１）。
【０１４７】
図２８は、リプレイ速度決定部５０により得られる特徴タグ時系列一覧の一例を示す図である。特徴タグ時系列一覧は表形式で表現される一覧情報であり、開始および終了時刻と特徴タグとから構成される。なお一覧は、時刻順に整列されており、一覧表示部５１は、この特徴タグ時系列一覧を表示する。
【０１４８】
＜効果＞
本発明に関する実施形態によれば、監視装置が、特定の時間における監視画面のリプレイ速度を決定する特徴タグを、時刻ごとに一覧表示する一覧表示部５１を備える。
【０１４９】
このような構成によれば、特徴タグ時系列一覧を見ることによって、特定の時間における特徴タグが成立した時刻を確認することができる。
【０１５０】
＜第５実施形態＞
＜構成＞
図２９は、本発明の本実施形態に関する監視装置１０４の構成を概念的に示した図である。図２９において、第１実施形態における場合と同様の符号を付した構成は、同様の構成であるので詳細な説明は省略する。
【０１５１】
特徴タグ入力部６０は、特定の監視データに基づいてリプレイ速度を決定する特徴タグを入力する機能部である。
【０１５２】
監視タグ抽出部６１は、監視画面上の特定の領域に表示される表示情報の、各シンボルに割り付けられている監視タグを抽出する機能部である。なお、本実施形態では、監視タグ抽出部６１は、監視画面上に表示情報が表示された状態で、上記の特定の領域を指定する機能を有する。
【０１５３】
＜動作＞
図３０は、監視タグ抽出部６１の動作を示すフローチャートである。
【０１５４】
まず、監視タグ抽出部６１は、監視画面記憶部１０を読み込む（ステップＳＴ３００）。
【０１５５】
次に、監視タグ抽出部６１は、監視画面記憶部１０に格納された各シンボルの種別、位置およびサイズに応じて表示情報が監視画面描画部１６に描画された状態で、監視画面上でリプレイ速度を設定する特定の領域を指定する（ステップＳＴ３０１）。
【０１５６】
次に、監視タグ抽出部６１は、ステップＳＴ３０１で指定した特定の領域内のシンボルに監視タグが割り付いているか否かの判定を行う（ステップＳＴ３０２）。監視タグが割り付いていない場合（ＮＯ）は、ステップＳＴ３０１に戻る。監視タグが割り付いている場合（ＮＯ）は、ステップＳＴ３０３へ進む。
【０１５７】
次に、監視タグ抽出部６１は、割り付いている監視タグを抽出する（ステップＳＴ３０３）。
【０１５８】
＜効果＞
本発明に関する実施形態によれば、監視タグ抽出部６１が、監視画面内の特定の領域において表示された表示情報に割り付けられた監視タグを抽出する。
【０１５９】
このような構成によれば、注目する領域を監視画面上で指定することで、当該領域内のみで監視タグを抽出すればよく、監視タグを探す手間を軽減できる。
【０１６０】
＜第６実施形態＞
第１実施形態では、監視画面描画部１６の動作として監視画面全体をリプレイする場合が示されているが、特徴タグで指定されるシンボルのみを描画対象として描画処理を実行する場合であってもよい。
【０１６１】
＜構成＞
図３１は、本発明の本実施形態に関する監視装置１０５の構成を概念的に示した図である。図３１において、第１実施形態における場合と同様の符号を付した構成は、同様の構成であるので詳細な説明は省略する。
【０１６２】
監視画面描画部７０は、特徴タグで指定されるシンボルのみを描画対象として、監視画面の描画を行う機能部である。
【０１６３】
リプレイ制御部７１は、リプレイ速度決定部１４において決定されたリプレイ速度に応じて、特徴タグで指定されるシンボルのみを描画対象として、監視画面のリプレイ動作を制御する機能部である。
【０１６４】
＜動作＞
図３２は、リプレイ制御部７１の動作のうちの、リプレイ制御処理（図１４のステップＳＴ１４３）を示すフローチャートである。
【０１６５】
まず、リプレイ制御部７１は、リプレイ速度「Ｓ」が０か否かの判定を行う（ステップＳＴ３１０）。リプレイ速度「Ｓ」が０の場合（ＹＥＳ）は動作を終了し、リプレイはスキップされる。リプレイ速度「Ｓ」が０でない場合（ＮＯ）は、ステップＳＴ３１１へ進む。
【０１６６】
次に、リプレイ制御部７１は、開始時刻「ＳＴ」をリプレイ時刻「Ｔ」に設定する（ステップＳＴ３１１）。
【０１６７】
次に、リプレイ制御部７１は、過去データ記憶部１２から、監視タグに対応する監視データ名の監視データの、リプレイ時刻「Ｔ」に対応する時刻の監視データ値を取得する（ステップＳＴ３１２）。
【０１６８】
次に、リプレイ制御部７１は、リプレイ時刻「Ｔ」と、ステップＳＴ３１２で取得した監視データ値と、ステップＳＴ３１２で用いた監視タグ（特徴タグで指定されるシンボルの監視タグ）とを監視画面描画部７０に通知する（ステップＳＴ３１３）。
【０１６９】
次に、リプレイ制御部７１は、リプレイ時刻「Ｔ」にリプレイ速度「Ｓ」時間を加える（ステップＳＴ３１４）。リプレイ速度「Ｓ」が１倍であれば１秒を、２倍であれば２秒の時間をリプレイ時刻に加える。
【０１７０】
次に、リプレイ制御部７１は、リプレイ時刻「Ｔ」が終了時刻「ＥＴ」以降か否かを判定する（ステップＳＴ３１５）。リプレイ時刻「Ｔ」が終了時刻「ＥＴ」の前である場合（ＮＯ）には、ステップＳＴ３１２に戻る。リプレイ時刻「Ｔ」が終了時刻「ＥＴ」と等しいまたは後である場合（ＹＥＳ）には、動作を終了する。
【０１７１】
図３３は、監視画面描画部７０の動作を示すフローチャートである。
【０１７２】
まず、監視画面描画部７０は、監視画面記憶部１０を読み込む（ステップＳＴ３２０）。
【０１７３】
次に、監視画面描画部７０は、監視画面記憶部１０に格納されたシンボルを１つ取得する（ステップＳＴ３２１）。
【０１７４】
次に、監視画面描画部７０は、まだ監視タグの検索を行っていないシンボルがあるか否かの判定を行う（ステップＳＴ３２２）。シンボルがない場合（ＮＯ）には動作を終了する。シンボルがある場合（ＹＥＳ）には、ステップＳＴ３２３へ進む。
【０１７５】
次に、監視画面描画部７０は、監視タグがシンボル中にあるか否かの判定を行う（ステップＳＴ３２３）。監視タグがシンボル中にない場合（ＮＯ）は、ステップＳＴ３２１に戻る。監視タグがシンボル中にある場合（ＹＥＳ）は、ステップＳＴ３２４へ進む。
【０１７６】
次に、監視画面描画部７０は、その監視タグが、特徴タグで指定されるシンボルの監視タグであるか否かを、リプレイ制御部７１から通知された監視タグを参照して判定する（ステップＳＴ３２４）。特徴タグで指定されるシンボルである場合（ＹＥＳ）には、ステップＳＴ３２５へ進む。特徴タグで指定されるシンボルでない場合（ＮＯ）は、ステップＳＴ３２１に戻る。
【０１７７】
次に、監視画面描画部７０は、リプレイ制御部７１から送信される監視データ値から、当該監視タグに割り付けられている値を取得する（ステップＳＴ３２５）。
【０１７８】
また、監視画面描画部７０は、監視画面記憶部１０から取得した、対応するシンボルの種別、位置およびサイズに応じて、特徴タグで指定されるシンボルを描画する（ステップＳＴ３２６）。このとき、リプレイ制御部７１によって制御されたリプレイ時間に従って、各シンボルを描画する。
【０１７９】
＜効果＞
本発明に関する実施形態によれば、リプレイ制御部７１が、監視タグを抽出した表示情報のみを表示させて、監視画面のリプレイ動作を制御する。
【０１８０】
このような構成によれば、注目するシンボルのみを描画することで、描画処理を高速化でき、リプレイ速度が高速になった場合でも対応できる。
【０１８１】
なお本発明は、その発明の範囲内において、各実施形態の自由な組み合わせ、あるいは各実施形態の任意の構成要素の変形、もしくは各実施形態において任意の構成要素の省略が可能である。
【符号の説明】
【０１８２】
１０，４０  監視画面記憶部、１１，４１，６１  監視タグ抽出部、１２  過去データ記憶部、１３，３０，６０  特徴タグ入力部、１４，３１，４２，５０  リプレイ速度決定部、１５，７１  リプレイ制御部、１６，７０  監視画面描画部、２１  ＣＰＵ、２２  記憶装置、２３  ＰＣ、５１  一覧表示部、１００〜１０５  監視装置。
【図１】
2014153795.tif 000003
【図２】
2014153795.tif 000004
【図３】
2014153795.tif 000005
【図４】
2014153795.tif 000006
【図５】
2014153795.tif 000007
【図６】
2014153795.tif 000008
【図７】
2014153795.tif 000009
【図８】
2014153795.tif 000010
【図９】
2014153795.tif 000011
【図１０】
2014153795.tif 000012
【図１１】
2014153795.tif 000013
【図１２】
2014153795.tif 000014
【図１３】
2014153795.tif 000015
【図１４】
2014153795.tif 000016
【図１５】
2014153795.tif 000017
【図１６】
2014153795.tif 000018
【図１７】
2014153795.tif 000019
【図１８】
2014153795.tif 000020
【図１９】
2014153795.tif 000021
【図２０】
2014153795.tif 000022
【図２１】
2014153795.tif 000023
【図２２】
2014153795.tif 000024
【図２３】
2014153795.tif 000025
【図２４】
2014153795.tif 000026
【図２５】
2014153795.tif 000027
【図２６】
2014153795.tif 000028
【図２７】
2014153795.tif 000029
【図２８】
2014153795.tif 000030
【図２９】
2014153795.tif 000031
【図３０】
2014153795.tif 000032
【図３１】
2014153795.tif 000033
【図３２】
2014153795.tif 000034
【図３３】
2014153795.tif 000035